(57)【要約】【課題】原稿の両面から画像の読み取りが可能な画像読取装置において、装置構成の簡略化及び製造に係る費用の低減化を図る。【解決手段】複写機１００が備える画像読取装置１１０は画像読取部１３の進入口に原稿検出センサ１２を設け、原稿検出センサ１２による検出結果によって画像読取部１３に対するＶＶ１信号を生成すると共に画像読取部１４に対するＶＶ２信号を生成する。すなわち、画像読取装置１１０は、まず、複写倍率を指定する複写モードに応じたＬＳと、画像読取部１３の原稿読取位置Ｐ２から画像読取部１４の原稿読取位置Ｐ４までの間隔Ｌとによって、原稿が画像読取部１３から画像読取部１４に移動するまでに要する時間（時間差Ｔ）を算出し、次いでＶＶ１信号を時間差Ｔだけ遅延させてＶＶ２信号を生成し画像読取部１４に送信する。【選択図】          図１
2004193955.tif 000002
【特許請求の範囲】
【請求項１】
原稿の一方の面の画像を読み取る第１の画像読取部と、当該原稿の他方の面の画像を読み取る第２の画像読取部とを備えた画像読取装置において、
前記第１の画像読取部の読取位置に原稿が進入すると、当該原稿の進入開始を示す第１の進入タイミングを通知する原稿検出センサと、
前記第１の進入タイミングに応じて前記第１の画像読取部により読み取られる前記原稿の一方の面の画像読取範囲を指定する第１の読取範囲指定部と、
前記第１の進入タイミングに対し所定時間だけ遅延させて前記第２の画像読取部の読取位置に対する原稿の進入開始を示す第２の進入タイミングを通知する遅延部と、
前記第２の進入タイミングに応じて前記原稿の他方の面の画像読取範囲を指定する第２の読取範囲指定部とを備え、
前記第１の画像読取部は、前記第１の読取範囲指定部により指定された画像読取範囲に基づいて前記原稿の一方の面の画像を読み取り、前記第２の画像読取部は、前記第２の読取範囲指定部により指定された画像読取範囲に基づいて前記原稿の他方の面の画像を読み取ることを特徴とする画像読取装置。
【請求項２】
前記第２の読取範囲指定部は、前記第１の読取範囲指定部により指定された画像読取範囲と同じ範囲を指定することを特徴とする請求項１に記載の画像読取装置。
【請求項３】
原稿の画像読取範囲と前記第１及び第２の進入タイミングのタイミング間隔とを示す情報を記憶する記憶部を備え、
前記第１の読取範囲指定部は、前記記憶部に記憶された画像読取範囲を指定し、前記遅延部は、前記第１の進入タイミングに対し前記記憶部に記憶されたタイミング間隔分だけ遅延させて前記第２の進入タイミングを通知することを特徴とする請求項２に記載の画像読取装置。
【請求項４】
前記第１の読取範囲指定部は、前記第１及び第２の画像読取部が原稿画像を拡大或いは縮小して読み取るための倍率が設定されると、当該設定された倍率に応じて画像読取範囲を指定し、前記遅延部は、前記第１の進入タイミングに対し前記設定された倍率に応じたタイミング間隔分だけ遅延させて前記第２の進入タイミングを通知することを特徴とする請求項３に記載の画像読取装置。
【発明の詳細な説明】
【０００１】
【発明の属する技術分野】
本発明は原稿の両面から画像の読み取りが可能な画像読取装置に関する。
【０００２】
【従来の技術】
近時、原稿の一方の面から画像を読み取る第１の画像読取部と、原稿の他方の面から画像を読み取る第２の画像読取部とを各々独立に備え、当該原稿の両面から画像の読み取りが可能な画像読取装置が考案されている（例えば、特許文献１参照。）。
【０００３】
このような画像読取装置では、シリアル出力される画像データの読み取り範囲を指定するＶＶ（Vertical Valid：垂直画像駆動有効領域）信号が各画像読取部に応じて必要となる。なお、当該シリアル出力される画像データを原稿幅に対応するライン毎に区切る場合、原稿の用紙サイズに基づいて生成されるＨＶ（Horitzon Valid：水平画像駆動有効領域）信号が用いられる。
【０００４】
また、原稿が通過したか否かを検知する複数のセンサを備え、当該各センサによる検知結果に基づいて原稿の両面から画像を読み取る画像読取処理を行うものも考案されている（例えば、特許文献２参照。）。
【０００５】
【特許文献１】
特開平１１―９５４９３号公報（第３頁、第１図）
【特許文献２】
特開２０００―１６９０１６号公報（第５―７頁、第１―３図）
【０００６】
【発明が解決しようとする課題】
しかし、上記従来の画像読取装置については、以下の問題点がある。
上記ＶＶ信号は、原稿が上記各画像読取部に進入する進入タイミングに応じて各々生成されるものであり、従って、これら各画像読取部の各々に対するＶＶ信号を得るためには、当該各画像読取部への原稿の進入を検出する原稿検出センサを当該各画像読取部の進入口の近傍に設けなければならない。この為、画像読取装置の構成が複雑になると共にコスト高となる。
【０００７】
本発明の課題は、原稿の両面から画像の読み取りが可能な画像読取装置において、装置構成の簡略化及び製造に係る費用の低減化を図ることを目的とする。
【０００８】
【課題を解決するための手段】
上記課題を解決するため、請求項１に記載の発明は、
原稿の一方の面の画像を読み取る第１の画像読取部と、当該原稿の他方の面の画像を読み取る第２の画像読取部とを備えた画像読取装置において、
前記第１の画像読取部の読取位置に原稿が進入すると、当該原稿の進入開始を示す第１の進入タイミングを通知する原稿検出センサと、
前記第１の進入タイミングに応じて前記第１の画像読取部により読み取られる前記原稿の一方の面の画像読取範囲を指定する第１の読取範囲指定部と、
前記第１の進入タイミングに対し所定時間だけ遅延させて前記第２の画像読取部の読取位置に対する原稿の進入開始を示す第２の進入タイミングを通知する遅延部と、
前記第２の進入タイミングに応じて前記原稿の他方の面の画像読取範囲を指定する第２の読取範囲指定部とを備え、
前記第１の画像読取部は、前記第１の読取範囲指定部により指定された画像読取範囲に基づいて前記原稿の一方の面の画像を読み取り、前記第２の画像読取部は、前記第２の読取範囲指定部により指定された画像読取範囲に基づいて前記原稿の他方の面の画像を読み取ることを特徴とする。
【０００９】
また、請求項２に記載の発明のように、
請求項１に記載の発明において、前記第２の読取範囲指定部は、前記第１の読取範囲指定部により指定された画像読取範囲と同じ範囲を指定するのが好ましい。
【００１０】
また、請求項３に記載の発明のように、
請求項２に記載の発明において、原稿の画像読取範囲と前記第１及び第２の進入タイミングのタイミング間隔とを示す情報を記憶する記憶部を備え、
前記第１の読取範囲指定部は、前記記憶部に記憶された画像読取範囲を指定し、前記遅延部は、前記第１の進入タイミングに対し前記記憶部に記憶されたタイミング間隔分だけ遅延させて前記第２の進入タイミングを通知するのが好ましい。
【００１１】
また、請求項４に記載の発明のように、
請求項３に記載の発明において、前記第１の読取範囲指定部は、前記第１及び第２の画像読取部が原稿画像を拡大或いは縮小して読み取るための倍率が設定されると、当該設定された倍率に応じて画像読取範囲を指定し、前記遅延部は、前記第１の進入タイミングに対し前記設定された倍率に応じたタイミング間隔分だけ遅延させて前記第２の進入タイミングを通知するのが好ましい。
【００１２】
従って、第１の画像読取部への原稿進入開始を示す第１の進入タイミングだけから、第２の画像読取部への原稿進入開始を示す第２の進入タイミングが得られるので、この第２の進入タイミングを検出する原稿検出センサを別に設ける必要がなく、装置構成の簡略化及び製造に係る費用の低減化が図られる。更に、様々な複写モードや複写倍率が指定された場合でも、好適に画像読取範囲が指定可能となるため、機能性の向上が図られる。
【００１３】
【発明の実施の形態】
以下、本発明を適用した好ましい実施例を、図１及び図２を参照して詳細に説明する。
【００１４】
まず、複写機１００の構成について説明する。図１は、複写機１００の内部構成を示すブロック図である。
図１に示すように、複写機１００は、画像読取装置１１０及び画像形成装置１２０を備えて構成される。画像読取装置１１０は、原稿供給部１１、原稿検出センサ１２、画像読取部１３、画像読取部１４、原稿排出部１５、入力部１６、記憶部１７、制御部１８等を備えて構成される。
【００１５】
原稿供給部１１は原稿形状検出部１１ａを備え、原稿形状検出部１１ａは図示しない送出部にセットされた原稿の用紙サイズ（例えば、Ａ３形式、Ａ４形式、或いは、Ｂ４形式、Ｂ５形式等。）を検出して当該検出結果を制御部１８に送信する。
【００１６】
原稿検出センサ１２は、原稿供給部１１から送出された原稿が搬送ローラＲ１により原稿検出位置Ｐ１まで搬送されると、画像読取部１３の読取位置に対する原稿の進入タイミングを示す信号（以下、インデックス信号という。）を読取範囲指定部１８ａと遅延部１８１とに送信する。
【００１７】
画像読取部１３は、読取範囲指定部１８ａから送信されたＶＶ信号（以下、ＶＶ１信号という。）により指定される画像読取範囲に基づいて、画像読取位置Ｐ２にある原稿表面から画像データを読み取る。画像読取部１３は当該読み取った原稿表面の画像データを画像形成装置１２０に送信する。
【００１８】
画像読取部１４は、読取範囲指定部１８ｂから送信されたＶＶ信号（以下、ＶＶ２信号という。）により指定される画像読取範囲に基づいて、原稿面反転位置Ｐ３で原稿面が反転された後に画像読取位置Ｐ４にある原稿裏面から画像データを読み取る。画像読取部１４は当該読み取った原稿裏面の画像データを画像形成装置１２０に送信する。
【００１９】
画像読取部１４による画像の読み取りが終了した原稿は排出ローラＲ２により原稿排出部１５まで搬送されて外部に排出される。
【００２０】
入力部１６は、読取動作開始指示や読取動作停止指示を入力したり、複写倍率を設定する複写モードや任意の複写倍率を入力したりするための各種入力キーを備える。この複写モードとは、例えば、Ａ４サイズ原稿の画像をＢ５サイズに縮小して印刷する、或いはＡ４サイズ原稿をＢ４サイズへ拡大して印刷する等の複写倍率を設定するためのものである。
【００２１】
記憶部１７は、制御部１８により実行される複写機１００の駆動用プログラムに係る各種データを格納する。特に記憶部１７は、デフォルトで予め設定された複数の複写モード（すなわち複写倍率。）に応じて、画像データの読取時における原稿の搬送速度（ＬＳ；Linea Spead）を示すデータを記憶すると共に、ＶＶ１信号を画像読取部１３に送信するタイミングとＶＶ２信号を画像読取部１４に送信するタイミングとの間のタイミング間隔を表す時間差Ｔのデータを記憶する。この時間差Ｔは、別の表現を用いれば、原稿が画像読取部１３の画像読取位置Ｐ２から画像読取部１４の画像読取位置Ｐ４に搬送されるまでに要する時間でもあり、また、遅延部１８１による遅延時間でもある。
【００２２】
制御部１８は、読取範囲指定部１８ａ、１８ｂおよび遅延部１８１を備える。以下、読取範囲指定部１８ａ、遅延部１８１、読取範囲指定部１８ｂの順に各構成を説明する。
【００２３】
＜読取範囲指定部１８ａ＞
読取範囲指定部１８ａは、記憶部１７に記憶されたＬＳの中から、入力部１６により入力された複写モードに対応するＬＳを設定する。
【００２４】
ここで、等倍率の複写モードが予めデフォルトで設定されているので、他の複写モードあるいは任意の複写倍率が入力されない限り当該等倍率の複写モードに対応するＬＳが設定される。
【００２５】
読取範囲指定部１８ａは、予め設定された複写モード以外の任意の複写倍率が入力部１６により入力された場合、当該入力された複写倍率に応じたＬＳを新たに算出して設定する。
【００２６】
読取範囲指定部１８ａは、原稿検出センサ１２からインデックス信号を受信すると、原稿形状検出部１１ａから入力された原稿サイズと上記設定されたＬＳとに基づきＶＶ１信号を生成して画像読取部１３に送信する。
【００２７】
＜遅延部１８１＞
遅延部１８１は、記憶部１７に記憶された時間差Ｔの中から、入力部１６により入力された複写モードに対応する時間差Ｔを設定する。
【００２８】
ここで、等倍率の複写モードが予めデフォルトで設定されているので、他の複写モードあるいは任意の複写倍率が入力されない限り当該等倍率の複写モードに対応する時間差Ｔが設定される。また、当該時間差Ｔの新たな算出は、当該新たに算出されたＬＳと、画像読取部１３の原稿読取位置Ｐ２から画像読取部１４の原稿読取位置Ｐ４までの間隔Ｌとを用いて行われる。
【００２９】
遅延部１８１は、予め設定された複写モード以外の任意の複写倍率が入力部１６により入力された場合、当該入力された複写倍率に応じた時間差Ｔを新たに算出して設定する。
【００３０】
遅延部１８１は、原稿検出センサ１２から受信したインデックス信号を、当該インデックス信号を受信した時点から上記設定された時間差Ｔだけ遅延させて、画像読取部１４の読取位置に対する原稿の進入タイミングを示す信号として読取範囲指定部１８ｂに送信する。
【００３１】
＜読取範囲指定部１８ｂ＞
読取範囲指定部１８ｂは、遅延部１８１により時間差Ｔだけ遅延されたインデックス信号を受信すると、原稿形状検出部１１ａから入力された原稿サイズと、上記読取範囲指定部１８ａにより設定されたＬＳとに基づきＶＶ２信号を生成して画像読取部１４に送信する。
【００３２】
なお、読取範囲指定部１８ｂは、読取範囲指定部１８ａとは独立にＬＳを設定するようにしても良い。この場合、読取範囲指定部１８ｂは、記憶部１７に記憶されたＬＳの中から入力部１６により入力された複写モードに対応するＬＳを設定する。ここで、等倍率の複写モードが予めデフォルトで設定されているので他の複写モードあるいは複写倍率が入力されない限り当該等倍率の複写モードに対応するＬＳが設定される。また、読取範囲指定部１８ｂは、予め設定された複写モード以外の任意の複写倍率が入力部１６により入力された場合、当該指定された複写倍率に応じたＬＳを新たに算出して設定する。
【００３３】
さらに、制御部１８は、記憶部１７に格納された複写機１００の駆動用プログラムを実行して複写機１００を制御する。特に、搬送ローラＲ１及びＲ２の回転駆動を制御して現在設定されているＬＳに応じた原稿搬送速度で原稿の搬送を行う。
【００３４】
次に、画像形成装置１２０の構成について概略説明する。画像形成装置１２０は、制御部１８による制御のもとで、画像読取部１３及び画像読取部１４から送信された画像データを種々の用紙サイズの紙等の転写材に印刷して画像形成する装置である。
画像形成装置１２０は、特に、紙等の転写材の表裏を反転するための図示しない反転メカニズムを備える。この反転メカニズムを用いることによって、画像読取部１３から送信された画像データが転写材の表面に印刷された後、当該反転メカニズムによって反転された当該転写材の裏面に画像読取部１４から送信された画像データが印刷可能となる。
【００３５】
次に動作を説明する。
図２は、画像読取装置１１０による画像読取処理を説明するフローチャートである。
【００３６】
読取範囲指定部１８ａは、入力部１６を介してデフォルトで設定された等倍率の複写モードから他の複写モードへの変更指示或いは複写倍率が入力されたか否かを判定し（ステップＳ１１）、複写モードの変更指示或いは複写倍率が入力された場合（ステップＳ１１；Ｙｅｓ）、当該変更指示された複写モード或いは複写倍率に応じてＬＳを設定して（ステップＳ１２）後段のステップＳ１３に移行する。ここで、ステップＳ１１の段階で複写倍率が指示された場合には、読取範囲指定部１８ａは、当該変更指示された複写倍率に応じたＬＳを算出して設定する。
【００３７】
ステップＳ１１の段階で複写モードの変更指示或いは複写倍率が入力されなかった場合（ステップＳ１１；Ｎｏ）、またはステップＳ１２の処理が終了した場合、読取範囲指定部１８ａは、原稿検出センサ１２からインデックス信号が出力されたか否か、すなわち画像読取部１３の画像読取位置Ｐ２に原稿が進入したか否かを監視する（ステップＳ１３）。
【００３８】
ステップＳ１３の段階で画像読取部１３の画像読取位置Ｐ２に原稿が進入した場合（ステップＳ１３；Ｙｅｓ）、読取範囲指定部１８ａは、当該インデックス信号と、現在の原稿の用紙サイズと、上記設定されたＬＳとに基づきＶＶ１信号を生成して画像読取部１３に送信する（ステップＳ１４）。
【００３９】
ここで、遅延部１８１は、上記複写モードあるいは複写倍率に基づいて時間差Ｔを設定する（ステップＳ１５）。なお、ステップＳ１５の処理は、ステップＳ１２〜Ｓ１４の処理中に並行して行われるのが好ましい。
【００４０】
次に、画像読取部１３はＶＶ１信号に基づいて画像読取位置Ｐ２にある原稿表面の画像を読み取り（ステップＳ１６）、当該読み取った画像データを画像形成装置１２０に送信する（ステップＳ１７）。なお、ステップＳ１７の処理をステップＳ１６の処理と並行して行うようにしても良い。
【００４１】
読取範囲指定部１８ｂは、遅延部１８１により遅延されたインデックス信号を受信すると、当該遅延されたインデックス信号と、現在の原稿の用紙サイズと、上記読取範囲指定部１８ａにより設定されたＬＳとに基づきＶＶ２信号を生成して画像読取部１４に送信する（ステップＳ１８）。画像読取部１４は当該ＶＶ２信号に基づいて画像読取位置Ｐ４にある原稿裏面の画像を読み取り（ステップＳ１９）、当該読み取った画像データを画像形成装置１２０に送信する（ステップＳ２０）。
【００４２】
以上説明したように、複写機１００が備える画像読取装置１１０は、画像読取部１３の進入口に原稿検出センサ１２を設け、原稿検出センサ１２による検出結果を示すインデックス信号によって画像読取部１３に対するＶＶ１信号を生成すると共に画像読取部１４に対するＶＶ２信号をも生成する。すなわち、画像読取装置１１０は、まず、複写倍率を指定する複写モードに応じたＬＳと、画像読取部１３の原稿読取位置Ｐ２から画像読取部１４の原稿読取位置Ｐ４までの間隔Ｌとによって、原稿が画像読取部１３の原稿読取位置Ｐ２から画像読取部１４の原稿読取位置Ｐ４に搬送されるまでに要する時間（時間差Ｔ）を算出する。次いで、画像読取装置１１０は、インデックス信号を時間差Ｔだけ遅延させてＶＶ２信号を生成し画像読取部１４に送信する。
【００４３】
従って、一台の原稿検出センサ１２を用いるだけで２台の画像読取部１３及び１４に対するＶＶ１信号及びＶＶ２信号の各々が生成可能となるので、装置構成の簡略化及び製造に係る費用の低減化が図られる。更に、様々な複写モードや複写倍率が指定された場合でも、それに応じて好適なＶＶ１信号及びＶＶ２信号の生成が可能となるため、機能性の向上が図られる。
【００４４】
なお、本実施の形態における記述は、本発明に係る画像読取装置の一例を示すものであり、これに限定されるものではない。本実施の形態における画像読取装置１１０の細部構成、及び詳細動作に関しては、本発明の趣旨を逸脱しない範囲で適宜変更可能である。
【００４５】
例えば、本実施の形態においては、読取範囲指定部１８ａ（あるいは、読取範囲指定部１８ｂ。）がＬＳを設定し、遅延部１８１が時間差Ｔを設定するとしたが、これに限らず、ＬＳおよび時間差Ｔを設定するための設定部（図示略。）を別に設けた構成であっても良い。
【００４６】
【発明の効果】
本発明によれば、原稿検出センサにより通知された第１の画像読取部への原稿進入開始を示す第１の進入タイミングだけから、第２の画像読取部への原稿進入開始を示す第２の進入タイミングが得られるので、この第２の進入タイミングを検出する原稿検出センサを別に設ける必要がなく、装置構成の簡略化及び製造に係る費用の低減化が図られる。更に、様々な複写モードや複写倍率が指定された場合でも、好適に画像読取範囲が指定可能となるため、機能性の向上が図られる。
【図面の簡単な説明】
【図１】本発明を適用した複写機の内部構成を示すブロック図である。
【図２】本発明を適用した画像読取装置による画像読取処理を説明するフローチャートである。
【符号の説明】
１１  原稿供給部
１１ａ  原稿形状検出部
１２  原稿検出センサ
１３、１４  画像読取部
１５  原稿排出部
１６  入力部
１７  記憶部
１８  制御部
１８ａ、１８ｂ  読取範囲指定部
１８１  遅延部
１００  複写機
１１０  画像読取装置
１２０  画像形成装置
【図１】
2004193955.tif 000003
【図２】
2004193955.tif 000004